(57)【要約】【課題】  水道水（飲用水）への鉛の混入を防止し、水道水の安全性をより高めるとともに、高価な無鉛材料を必要個所のみに使用して全体のコスト低減を図る。【解決手段】  一対の接続部２ｆ，２ｒを、連結部３に結合する支持基部４ｆ，４ｒとこの支持基部４ｆ，４ｒに貫通形成した取付孔４ｆｈ，４ｒｈに支持される接続機構部５ｆ，５ｒによりそれぞれ構成し、各接続機構部５ｆ，５ｒの内端に量水器Ｍを着脱する着脱端部５ｆｉ，５ｒｉを配し、かつ外端に水道管Ｐ（Ｐｆ，Ｐｒ）側に接続する接続端部５ｆｏ，５ｒｏを配するとともに、着脱端部５ｆｉ，５ｒｉと接続端部５ｆｏ，５ｒｏ間に水路Ｒｆ，Ｒｒを設け、この水路Ｒｆ，Ｒｒを構成する部材（１１…，１６…）を、鉛の含有しない無鉛材料により形成する。【選択図】  図１
2006022554.tif 000002
【特許請求の範囲】
【請求項１】
水道管の中途に接続する対峙した一対の接続部及び各接続部を連結する連結部を具備し、前記一対の接続部間に量水器を着脱可能に構成してなる量水器の接続装置において、前記一対の接続部を、前記連結部に結合する支持基部とこの支持基部に貫通形成した取付孔に支持される接続機構部によりそれぞれ構成し、各接続機構部の内端に量水器を着脱する着脱端部を配し、かつ外端に水道管側に接続する接続端部を配するとともに、前記着脱端部と前記接続端部間に水路を設け、この水路を構成する部材を、鉛の含有しない無鉛材料により形成してなることを特徴とする量水器の接続装置。
【請求項２】
一次側の前記接続機構部は、外端に前記接続端部を有する一次側外筒部と、この一次側外筒部に対して伸縮可能に挿通し、かつ内端に前記着脱端部を有する一次側内筒部と、この一次側内筒部を伸縮方向に変位させる操作部を備えることを特徴とする請求項１記載の量水器の接続装置。
【請求項３】
前記一次側外筒部は、先端の突出方向を変更して取付可能なエルボ管であることを特徴とする請求項２記載の量水器の接続装置。
【請求項４】
二次側の前記接続機構部は、外端に前記接続端部を有し、かつ内端開口から内部に逆止弁部を収容可能な二次側外筒部と、この二次側外筒部の内端開口に着脱し、かつ装着時に前記二次側外筒部に収容した逆止弁部を固定するとともに、内端に前記着脱端部を有する二次側内筒部を備えることを特徴とする請求項１記載の量水器の接続装置。
【請求項５】
前記支持基部には、設置面に設けたアンカフックに取付けるアンカフック取付部を備えることを特徴とする請求項１記載の量水器の接続装置。
【請求項６】
前記連結部は、中央下側に配した下ステーと、この下ステーの上方両側に配し、かつ量水器の軸線よりも所定高さだけ下方位置に配した左右一対の上ステーを備えることを特徴とする請求項１記載の量水器の接続装置。
【請求項７】
前記下ステーには、逆向きの量水器に当接して量水器の逆付けを防止する量水器逆付防止部を備えることを特徴とする請求項６記載の量水器の接続装置。
【発明の詳細な説明】
【技術分野】
【０００１】
本発明は、マンション等の階上に配した水道管の中途に量水器を接続する際に用いて好適な量水器の接続装置に関する。
【背景技術】
【０００２】
一般に、水道管の中途に接続する量水器は、定められた検定有効期限の経過によって取替える必要がある。このため、所定の接続装置を水道管の中途に接続し、この接続装置に量水器を着脱可能にしている。
【０００３】
従来、この種の接続装置としては、既に本出願人が提案した特許第２９０３３８８号公報で開示される量水器の接続装置が知られている。この接続装置は、接続機構部を有する一対の接続板部と、対峙した一対の接続板部を連結する複数の連結棒部を具備し、各接続機構部の外端に設けた水道管接続部に水道管を接続するとともに、各接続機構部の内端に設けた量水器接続部間に量水器を着脱可能に構成してなる量水器の接続装置において、一対の接続板部における下部間を水平方向に離間した一対の下連結棒部により連結し、かつ一方の下連結棒部の鉛直方向上方に位置する上部間を上連結棒部により連結したものであり、量水器着脱作業の円滑化及び迅速化を図るとともに、装置全体のコストダウン，小型化及び軽量化を図ることができる。
【特許文献１】特許第２９０３３８８号
【発明の開示】
【発明が解決しようとする課題】
【０００４】
しかし、上述した従来における量水器の接続装置は、次のような解決すべき課題が存在した。
【０００５】
第一に、この種の接続装置に用いる構成部材（部品）は、通常、鋳造が容易で、摩耗・腐食に耐え、靭性に富む砲金（青銅鋳物の一種）を用いることが多いが、この砲金は、銅９０％，錫１０％程度に加え、通常、加工性、更には歩留まりを高めることを目的として、鉛を含有させていることから、この鉛が水道水（飲用水）に混入する虞れがある。
【０００６】
第二に、この種の接続装置は、主に地面に埋設したメータボックス内に設置することを想定しているため、近年増加しているマンション等の階上におけるパイプスペースなどに設置しにくい。即ち、このような設置空間は、通常、水道管の他、ガス管や電線等も一緒に配されるため、設置空間が限られてしまい、容易に設置することができないとともに、量水器の交換やメンテナンス等も容易に行うことができない。
【０００７】
本発明は、このような背景技術に存在する課題を解決した量水器の接続装置の提供を目的とするものである。
【課題を解決するための手段】
【０００８】
本発明は、上述した課題を解決するため、水道管Ｐの中途に接続する対峙した一対の接続部２ｆ，２ｒ及び各接続部２ｆと２ｒを連結する連結部３を具備し、一対の接続部２ｆ，２ｒ間に量水器Ｍを着脱可能に構成してなる量水器の接続装置１を構成するに際して、一対の接続部２ｆ，２ｒを、連結部３に結合する支持基部４ｆ，４ｒとこの支持基部４ｆ，４ｒに貫通形成した取付孔４ｆｈ，４ｒｈに支持される接続機構部５ｆ，５ｒによりそれぞれ構成し、各接続機構部５ｆ，５ｒの内端に量水器Ｍを着脱する着脱端部５ｆｉ，５ｒｉを配し、かつ外端に水道管Ｐ（Ｐｆ，Ｐｒ）側に接続する接続端部５ｆｏ，５ｒｏを配するとともに、着脱端部５ｆｉ，５ｒｉと接続端部５ｆｏ，５ｒｏ間に水路Ｒｆ，Ｒｒを設け、この水路Ｒｆ，Ｒｒを構成する部材（１１…，１６…）を、鉛の含有しない無鉛材料により形成してなることを特徴とする。
【０００９】
この場合、発明の好適な態様により、一次側の接続機構部５ｆは、外端に接続端部５ｆｏを有する一次側外筒部１１と、この一次側外筒部１１に対して伸縮可能に挿通し、かつ内端に着脱端部５ｆｉを有する一次側内筒部１２と、この一次側内筒部１２を伸縮方向に変位させる操作部１３を備えて構成できるとともに、一次側外筒部１１は、先端の突出方向を変更して取付可能なエルボ管１１ｓを用いることができる。また、二次側の接続機構部５ｒは、外端に接続端部５ｒｏを有し、かつ内端開口１６ｉから内部に逆止弁部１５を収容可能な二次側外筒部１６と、この二次側外筒部１６の内端開口１６ｉに着脱し、かつ装着時に二次側外筒部１６に収容した逆止弁部１５を固定するとともに、内端に着脱端部５ｒｉを有する二次側内筒部１７を備えて構成できる。一方、支持基部４ｆ，４ｒには、設置面Ｆに設けたアンカフックＡｆ，Ａｒに取付けるアンカフック取付部１８ｆ，１８ｒを備えることができる。さらに、連結部３は、中央下側に配した下ステー３ｄと、この下ステー３ｄの上方両側に配し、かつ量水器Ｍの軸線Ｈより所定高さＬｄだけ下方位置に配した左右一対の上ステー３ｐ，３ｑを備えて構成できるとともに、下ステー３ｄには、逆向きの量水器Ｍに当接して量水器Ｍの逆付けを防止する量水器逆付防止部１９を備えることができる。
【発明の効果】
【００１０】
このような構成を有する本発明に係る量水器の接続装置１によれば、次のような顕著な効果を奏する。
【００１１】
（１）  水路Ｒｆ，Ｒｒを構成する部材（１１…，１６…）を、鉛の含有しない無鉛材料により形成するため、鉛が水道水（飲用水）に混入する虞れがなく、水道水の安全性をより高めることができるとともに、高価な無鉛材料は、必要個所のみに使用できるため、全体のコスト低減を図ることができる。
【００１２】
（２）  好適な態様により、一次側の接続機構部５ｆを、外端に接続端部５ｆｏを有する一次側外筒部１１と、この一次側外筒部１１に対して伸縮可能に挿通し、かつ内端に着脱端部５ｆｉを有する一次側内筒部１２と、この一次側内筒部１２を伸縮方向に変位させる操作部１３を備えて構成するとともに、一次側外筒部１１に、先端の突出方向を変更して取付可能なエルボ管１１ｓを用いれば、ガス管や電線等も一緒に配されたマンション等の階上におけるパイプスペースなどの限られた設置空間Ｓであっても容易に設置することができるとともに、量水器Ｍの交換やメンテナンス等も容易に行うことができる。
【００１３】
（３）  好適な態様により、二次側の接続機構部５ｒを、外端に接続端部５ｒｏを有し、かつ内端開口１６ｉから内部に逆止弁部１５を収容可能な二次側外筒部１６と、この二次側外筒部１６の内端開口１６ｉに着脱し、かつ装着時に二次側外筒部１６に収容した逆止弁部１５を固定するとともに、内端に着脱端部５ｒｉを有する二次側内筒部１７を備えて構成すれば、逆止弁部１５の交換やメンテナンスを容易に行うことができる。
【００１４】
（４）  好適な態様により、支持基部４ｆ，４ｒに、設置面Ｆに設けたアンカフックＡｆ，Ａｒに取付けるアンカフック取付部１８ｆ，１８ｒを設ければ、マンション等の階上であっても容易かつ確実に設置することができる。
【００１５】
（５）  好適な態様により、連結部３を、中央下側に配した下ステー３ｄと、この下ステー３ｄの上方両側に配し、かつ量水器Ｍの軸線Ｈよりも所定高さＬｄだけ下方位置に配した左右一対の上ステー３ｐ，３ｑにより構成すれば、全体の剛性を確保して強度を高めることができることに加え、上ステー３ｐ，３ｑは量水器Ｍの軸線Ｈよりも下方となることから、斜め上方や横方向からの量水器Ｍの着脱やこの着脱時の操作（ハンドル操作）を容易に行うことができる。
【００１６】
（６）  好適な態様により、下ステー３ｄに、逆向きの量水器Ｍに当接して量水器Ｍの逆付けを防止する量水器逆付防止部１９を設ければ、誤って量水器Ｍが反対に装着される不具合を確実に回避できる。
【発明を実施するための最良の形態】
【００１７】
次に、本発明に係る最良の実施形態を挙げ、図面に基づき詳細に説明する。
【００１８】
まず、本実施形態に係る量水器の接続装置１の構成について、図１〜図８を参照して説明する。
【００１９】
接続装置１は、対峙した一対の接続部２ｆ，２ｒ及び各接続部２ｆと２ｒを連結する連結部３を備える。各接続部２ｆ，２ｒは、連結部３に結合する支持基部４ｆ，４ｒと、各支持基部４ｆ，４ｒに支持される接続機構部５ｆ，５ｒによりそれぞれ構成する。そして、各接続機構部５ｆ，５ｒの内端に、量水器Ｍを着脱する着脱端部５ｆｉ，５ｒｉを配するとともに、外端に水道管Ｐ（Ｐｆ，Ｐｒ）側に接続する接続端部５ｆｏ，５ｒｏを配し、着脱端部５ｆｉと接続端部５ｆｏ間、更には着脱端部５ｒｉと接続端部５ｒｏ間には、それぞれ水路Ｒｆ，Ｒｒを設ける。この場合、一方の接続部２ｆは一次側（上流側）となり、他方の接続部２ｒは二次側（下流側）となる。
【００２０】
以下、各構成部分の詳細について説明する。各接続部２ｆ，２ｒに備える支持基部４ｆ，４ｒは、それぞれ一般的な青銅合金（青銅鋳物）を用いて鋳造することができる。この種の青銅合金は、鋳造性，耐摩耗性，耐食性，耐圧性（靭性），被削性等に優れた性質を有するとともに、通常、砲金と呼ばれ、銅９０％，錫１０％程度に加え、加工性、更には歩留まりを高めるために、鉛を含有させている。しかし、支持基部４ｆ，４ｒは、直接水路を構成する部材ではないため、鉛を含有するか否かは問わず、コストメリットのある一般的な青銅合金（砲金）を用いることができる。また、各支持基部４ｆ，４ｒには、水平方向に貫通形成した断面円形の取付孔４ｆｈ，４ｒｈを有するとともに、各支持基部４ｆ，４ｒの外面には、アンカフック取付部１８ｆ，１８ｒを固定する。アンカフック取付部１８ｆ，１８ｒは、プレート材をＬ形に折曲し、鉛直部を支持基部４ｆ，４ｒの外面にそれぞれネジ止めして下方に延設し、下端の水平部には、後述する設置面Ｆに固定したアンカフックＡｆ，Ａｒのボルトが挿通するＵ形の切欠部２１ｆ，２１ｒを設ける。
【００２１】
一方、一次側の接続部２ｆに備える接続機構部５ｆは、図３に示すように、外端に接続端部５ｆｏを設けた一次側外筒部１１と、この一次側外筒部１１に対して伸縮可能に挿通し、かつ内端に着脱端部５ｆｉを設けた一次側内筒部１２と、この一次側内筒部１２を伸縮方向に変位させる操作部１３を備える。一次側外筒部１１は、先端の突出方向を変更して、一次側の支持基部４ｆに固定可能なエルボ管１１ｓを用いる。この場合、エルボ管１１ｓはＬ形であり、一端に水道管側を接続する接続端部５ｆｏを有するとともに、他端にはフランジ部２２を有し、さらに、このフランジ部２２から突出した挿入筒部２３を有する。フランジ部２２には、図５に示すように、周方向に９０°置きに配した四つのネジ挿通孔２４…を有するとともに、取付孔４ｆｈの下方に位置する支持基部４ｆの外面には、図２に示すネジ孔２５を有する。また、挿入筒部２３の外周面には、リング溝２７を設けるとともに、支持基部４ｆにおける取付孔４ｆｈの内周面には、このリング溝２７に対応するリング溝２８を設ける。
【００２２】
エルボ管１１ｓを支持基部４ｆ（取付孔４ｆｈ）に組付ける際は、図３に示すストッパリング２９をリング溝２７に収容し、エルボ管１１ｓの挿入筒部２３を取付孔４ｆｈに挿入するとともに、フランジ部２２を支持基部４ｆの外面に当接させれば、図１に示すように、リング溝２７と２８の位置が一致し、両リング溝２７と２８間にストッパリング２９が跨がって介在する。これにより、挿入筒部２５の抜けが阻止されるも、エルボ管１１ｓの回動変位は許容される。この場合、エルボ管１１ｓの一端（先端）は、図５に示すように、突出方向を三通り、即ち、上向き，右向き及び左向きに、それぞれ変更することができるため、向きを選択し、ネジ２６を、選択したネジ挿通孔２４に通してネジ孔２５に螺着すれば、エルボ管１１ｓを支持基部４ｆに固定することができる。したがって、ネジ２６を着脱することにより、エルボ管１１ｓの先端の突出方向（向き）を変更して取付けることができる。
【００２３】
さらに、一次側内筒部１２は、エルボ管１１ｓに挿通する挿通筒部３０を有し、外部に露出した先端には着脱端部５ｆｉを設ける。この場合、挿通筒部３０の外周面とエルボ管１１ｓの内周面間には、Ｏリングパッキンを介在させてシーリングを行うとともに、着脱端部５ｆｉの端面には、パッキンを付設して量水器Ｍの接続口が当接（圧接）した際のシーリングを行う。また、挿通筒部３０の外周面であってエルボ管１１ｓに挿入しない部位にはネジ部３１を設ける。一方、挿通筒部３０の外周面には軸方向に沿ったガイド溝３２を設けるとともに、支持基部４ｆの上端には、取付孔４ｆｈの内周面に突出する係合ピン３３を螺着し、係合ピン３３の先端はガイド溝３２に係合させる。これにより、挿通筒部３０は、軸方向への変位は許容されるも回動変位は規制される。
【００２４】
ところで、一次側の接続部２ｆにおける水路Ｒｆを構成する部材は、鉛の含有しない無鉛材料により形成する。この場合、水路Ｒｆを構成する部材は、一次側外筒部１１と一次側内筒部１２となる。無鉛材料としては、特開２０００−１２９３７５号公報や特開２０００−３３６４４２号公報等で開示される無鉛青銅合金を利用することができる。この種の無鉛青銅合金は、鉛に代わる置換材料を配合した青銅合金であって、基本的には、上述した一般的な青銅合金（青銅鋳物）と同水準の性質、即ち、鋳造性，耐食性，耐圧性，被削性等に優れた性質を有している。
【００２５】
一方、操作部１３は、操作筒部３４とこの操作筒部３４の一端に設けた操作ハンドル部３５を有し、操作筒部３４の内周面には、挿通筒部３０の外周面に設けたネジ部３１に螺合するネジ孔部３６を設ける。さらに、操作筒部３４の外周面には、リング溝３７を設けるとともに、支持基部４ｆにおける取付孔４ｆｈの内周面には、このリング溝３７に対応するリング溝３８を設ける。
【００２６】
操作筒部３４を支持基部４ｆ（取付孔４ｆｈ）に組付ける際は、図３に示すストッパリング２９をリング溝３７に収容した状態で操作筒部３４を取付孔４ｆｈに挿入すれば、図１に示すように、リング溝３７と３８の位置が一致し、両リング溝３７と３８間にストッパリング２９が跨がって介在する。これにより、操作筒部３４の回動変位は許容されるも、抜けは阻止される。よって、図６に示すように、操作ハンドル部３５を回し操作することにより、回り止めされている一次側内筒部１２を軸方向へストロークＬｓだけ前進又は後退変位させることができる。
【００２７】
他方、二次側の接続部２ｒに備える接続機構部５ｒは、図３に示すように、外端に接続端部５ｒｏを設け、かつ内端開口１６ｉから内部に逆止弁部１５を収容可能な二次側外筒部１６と、この二次側外筒部１６の内端開口１６ｉに着脱し、かつ装着時に二次側外筒部１６に収容した逆止弁部１５を固定するとともに、内端に着脱端部５ｒｉを設けた二次側内筒部１７を備える。この場合、二次側外筒部１６を支持基部４ｒ（取付孔４ｒｆ）に組付ける際は、取付孔４ｒｆに内側から挿入し、内端開口１６ｉ側に設けたフランジ部４１を、ネジ４２を用いて支持基部４ｒの外面に固定する。また、二次側内筒部１７は、筒部本体４３と固定リング４４からなり、筒部本体４３の一端に着脱端部５ｒｉを設けるとともに、他端に弁座４３ｓ（図７）を設ける。さらに、逆止弁部１５は、弁支持部４５と、この弁支持部４５に軸方向へ変位自在に支持された弁体部４６と、この弁体部４６を弁座４３ｓに対して当接する方向に付勢するスプリング４７を備え、全体をユニットとして構成する。
【００２８】
したがって、逆止弁部１５を組付ける際は、図７に示すように、ユニット構成した逆止弁部１５を、筒部本体４３の弁座４３ｓ側に嵌め付けるとともに、この状態で、内端開口１６ｉから二次側外筒部１６の内部に収容する。そして、固定リング４４の外周面に設けたネジ部を二次側外筒部１６の内周面に設けたネジ孔部に螺着すれば、逆止弁部１５を内蔵した状態で二次側外筒部１６と二次側内筒部１７を一体化することができる。なお、逆止弁部１５は、通水時に、水圧により弁体部４６が押圧されるため、弁体部４６は、スプリング４７の付勢力に抗して下流側（図１中、右方向）へ変位し、弁体部４６が弁座４３ｓから離間することにより水路Ｒｒが開放される。一方、断水等により、通水が停止した場合には、上流側からの水圧が無くなるため、弁体部４６はスプリング４７の付勢力により弁座４３ｓ側へ変位し、弁座４３ｓに当接（圧接）することにより下流側の水道管Ｐｒ（図９参照）からの水道水の戻りが防止される。
【００２９】
このように、逆止弁部１５の組付を容易に行うことができるとともに、固定リング４４の着脱により逆止弁部１５の交換やメンテナンスも容易に行うことができる。なお、筒部本体４３と二次側外筒部１６間には、Ｏリングパッキンを介在させてシーリングを行うとともに、筒部本体４３に設けた着脱端部５ｒｉの端面には、パッキンを付設して量水器Ｍの接続口が当接（圧接）した際のシーリングを行う。また、４８は、接続する水道管Ｐｒのネジ部の錆による管内の赤水発生防止用のコアを示す。
【００３０】
ところで、二次側の接続部２ｒにおける水路Ｒｒを構成する部材は、鉛の含有しない無鉛材料により形成する。この場合、水路Ｒｒを構成する部材は、二次側外筒部１６と二次側内筒部１７（筒部本体４３）となる。無鉛材料としては、上述した一次側の接続部２ｆに備える一次側外筒部１１及び一次側内筒部１２と同様の無鉛青銅合金を利用することができる。なお、二次側の接続部２ｒにおける水路Ｒｒには、逆止弁部１５とコア４８を内蔵するが、これらも基本的には、鉛の含有しない材料を用いる。具体的には、逆止弁部１５における支持部４５及び弁部４６は、プラスチック材を用いて形成するとともに、スプリング４７は、ステンレス材により形成する。また、コア４８は、プラスチック材及び合成ゴム材により形成する。
【００３１】
このように、本実施形態では、水路Ｒｆ，Ｒｒを構成する部材、即ち、一次側外筒部１１と一次側内筒部１２、更には二次側外筒部１６と二次側内筒部１７（筒部本体４３）を、鉛の含有しない無鉛材料により形成するため、鉛が水道水（飲用水）に混入する虞れがなく、水道水の安全性をより高めることができるとともに、高価な無鉛材料は、必要個所のみに使用するため、全体のコスト低減を図ることができる。
【００３２】
一方、連結部３は、中央下側に配した下ステー３ｄと、この下ステー３ｄの上方両側に配し、かつ量水器Ｍの軸線Ｈよりも所定高さＬｄだけ下方位置に配した左右一対の上ステー３ｐ，３ｑを備える。各ステー３ｄ，３ｐ及び３ｑは、一端を一方の支持基部４ｆに螺着するとともに、他端を他方の支持基部４ｆに挿通させた後、ナット５１…により固定する。また、下ステー３ｄには、逆向きの量水器Ｍに当接して量水器Ｍの逆付けを防止する量水器逆付防止部１９を設ける。量水器逆付防止部１９は、図４に示すように、上端にＵ溝により形成した係合部５２を有する。この量水器逆付防止部１９は、下ステー３ｄの外周面に嵌め込んだ後、固定ネジ５３により下ステー３ｄに固定することができる。これにより、量水器Ｍが正規の向きで装着される場合には、図１に示すように、量水器Ｍの底部に設けたリブ状の突起板部Ｍｒが係合部５２に収容されるため、正常な装着が許容される。しかし、図８に示すように、量水器Ｍが逆向きに装着されようとした場合には、量水器Ｍの底部が量水器逆付防止部１９の上端に当接し、下方への変位が規制されることにより量水器Ｍの逆付けが防止される。
【００３３】
次に、本実施形態に係る接続装置１の設置方法及び機能について、図１〜図９を参照して説明する。
【００３４】
まず、接続装置１を設置する場合について説明する。図９は、マンション等の階上に設けられたパイプスペースなどの設置空間Ｓを示す。接続装置１を設置する際には、この設置空間Ｓの設置面Ｆに、離間した一対のアンカフックＡｆ，Ａｒを起設する。アンカフックＡｆ，Ａｒは、上部をボルト形成してあるため、それぞれ上下二つの固定ナット６１…，６２…を螺合し、この固定ナット６１…，６２…により、切欠部２１ｆ，２１ｒを係合させたアンカフック取付部１８ｆ，１８ｒを挟んで固定する。この際、固定ナット６１…，６２…の位置により接続装置１の高さを設定（調整）できる。このように、本実施形態では、アンカフック取付部１８ｆ，１８ｒを備えるため、マンション等の階上であっても容易かつ確実に設置することができる。
【００３５】
そして、接続装置１における一次側の接続端部５ｆｏには、止水栓Ｍｃの一端を接続するとともに、止水栓Ｍｃの他端は、水道本管Ｐｍから分岐した上流側水道管Ｐｆに接続する。この場合、先端の突出方向を変更して取付可能なエルボ管１１ｓを備えるため、ガス管や電線等も一緒に配されたパイプスペースなどの限られた設置空間Ｓであっても、エルボ管１１ｓの突出方向を変更して容易に設置することができるとともに、量水器Ｍの交換やメンテナンス等も容易に行うことができる。また、二次側の接続端部５ｒｏは、下流側水道管Ｐｒに接続する。
【００３６】
次に、量水器Ｍの着脱方法について説明する。量水器Ｍは、接続装置１における一次側の着脱端部５ｆｉと二次側の着脱端部５ｒｉ間に接続（着脱）することができる。まず、量水器Ｍを接続する際には、操作ハンドル部３５を一方側に回し操作し、一次側内筒部１２を後退させる。この場合、一次側内筒部１２は、回動方向変位が規制されているため、着脱端部５ｒｉに対して離間する方向（短縮方向）に後退変位する。この状態を図６に示す。これにより、一次側の着脱端部５ｆｉと二次側の着脱端部５ｒｉ間の間隔が広くなるため、用意した量水器Ｍを、上ステー３ｐと３ｑ間に収容し、両端の接続口を着脱端部５ｆｉと着脱端部５ｒｉにそれぞれ対向させる。次いで、操作ハンドル部３５を他方側に回し操作し、一次側内筒部１２を伸長方向に前進変位させる。この状態を図１に示す。これにより、量水器Ｍの両端における接続口は、それぞれ着脱端部５ｆｉと着脱端部５ｒｉ間挟まれて圧接し、量水器Ｍの装着は終了する。なお、量水器Ｍの着脱時には、止水栓Ｍｃを閉側に切換えておく。一方、量水器Ｍの取外しも、装着時の操作と反対操作を行うことにより容易に取り外すことができる。
【００３７】
このように、本実施形態では、連結部３を、中央下側に配した下ステー３ｄと、この下ステー３ｄの上方両側に配し、かつ量水器Ｍの軸線Ｈよりも所定高さＬｄだけ下方位置に配した左右一対の上ステー３ｐ，３ｑにより構成したため、全体の剛性を確保して強度を高めることができることに加え、上ステー３ｐ，３ｑは量水器Ｍの軸線Ｈよりも下方となることから、斜め上方や横方向からの量水器Ｍの着脱やこの着脱時の操作（ハンドル操作）を容易に行うことができる。また、この際、下ステー３ｄには、逆向きの量水器Ｍに当接して量水器Ｍの逆付けを防止する量水器逆付防止部１９を設けたため、誤って量水器Ｍが反対に装着される不具合を確実に回避できる。
【００３８】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、一次側外筒部１１は、先端の突出方向を変更して取付可能なエルボ管１１ｓを用いた場合を示したが、単なる筒状の接続管であってもよい。また、エルボ管１１ｓの突出方向は、９０°単位で変更する場合を示したが、任意の角度に変更することも可能である。さらに、支持基部４ｆ，４ｒに対して別体のアンカフック取付部１８ｆ，１８ｒを取付けた場合を示したが、アンカフック取付部１８ｆ，１８ｒと支持基部４ｆ，４ｒは一体成形してもよい。一方、連結部３は、三本のステー３ｄ，３ｐ及び３ｑを用いた場合を示したが、本数及び取付位置は任意である。
【図面の簡単な説明】
【００３９】
【図１】本発明の最良の実施形態に係る接続装置の断面側面図、
【図２】同接続装置の接続機構部を除いた状態の断面側面図、
【図３】同接続装置の接続機構部のみを明示する断面側面図、
【図４】同接続装置の斜視図、
【図５】同接続装置の正面図、
【図６】同接続装置の一次側内筒部を後退変位させた状態を示す断面側面図、
【図７】同接続装置における二次側の接続部を分解した状態を示す断面側面図、
【図８】同接続装置における量水器逆付防止部の機能説明図、
【図９】同接続装置の設置方法説明図、
【符号の説明】
【００４０】
１      接続装置
２ｆ…  接続部
３      連結部
３ｄ    下ステー
３ｐ…  上ステー
４ｆ…  支持基部
４ｆｈ…  取付孔
５ｆ…    接続機構部
５ｆｉ…  着脱端部
５ｆｏ…  接続端部
１１    一次側外筒部（水路を構成する部材）
１１ｓ  エルボ管
１２    一次側内筒部（水路を構成する部材）
１３    操作部
１５    逆止弁部
１６    二次側外筒部（水路を構成する部材）
１６ｉ  内端開口
１７    二次側内筒部（水路を構成する部材）
１８ｆ…  アンカフック取付部
１９    量水器逆付防止部
Ｐ      水道管
Ｍ      量水器
Ｒｆ…  水路
Ｆ      設置面
Ａｆ…  アンカフック
Ｈ      量水器の軸線
Ｌｄ    所定高さ
【図１】
2006022554.tif 000003
【図２】
2006022554.tif 000004
【図３】
2006022554.tif 000005
【図４】
2006022554.tif 000006
【図５】
2006022554.tif 000007
【図６】
2006022554.tif 000008
【図７】
2006022554.tif 000009
【図８】
2006022554.tif 000010
【図９】
2006022554.tif 000011